(57)【要約】  本発明は、紙幣及び対応の物品等の貴重品を取り扱う方法であって、貴重品／紙幣の受け取り及び供給を行うようになっている少なくとも２つのユニット（１０）が用いられ、各ユニット（１０）が、警報手段（１２）及び破壊手段／着色手段／マーキング手段（１３）等を含むことが好ましい、紙幣及び対応の物品等の貴重品を取り扱う方法に関する。例えば貴重品搬送に関連して２つのユニット（１０ａ、１０ｂ）間で少なくとも１つのドッキングベースの貴重品移送／紙幣移送が実行される。本方法は、貴重品を搬送中に継続的に保護することを可能にする。
2009510593.tif 000002
【特許請求の範囲】
【請求項１】
紙幣及び類似の物品等の貴重品を取り扱う方法であって、貴重品／紙幣の受け取り及び供給を行うように意図されている少なくとも２つの貴重品ユニット（１０）が用いられ、各ユニット（１０）が、警報手段（１２）と破壊手段／着色手段／マーキング手段（１３）等とを含むことが好ましい、紙幣及び類似の物品等の貴重品を取り扱う方法において、
例えば貴重品搬送に関連して、２つのユニット（１０）間で少なくとも１つのドッキングベースの貴重品移送／紙幣移送を実行することを特徴とする紙幣及び類似の物品等の貴重品を取り扱う方法。
【請求項２】
前記ユニット（１０）の移動パターンを、命令センター、監視センター、貴重品センターから制御することを特徴とする請求項１に記載の方法。
【請求項３】
ドッキングさせることができるユニット（１０）が、情報交換のために互いに通信し、且つハンドシェイクプロセス等を実行するようになっていることを特徴とする請求項１又は２に記載の方法。
【請求項４】
貴重品／紙幣の移送に関連して、ユニット（１０）間の通信を確保するためのドッキング手段（５０）を用いることを特徴とする請求項１から請求項３までのいずれか１項に記載の方法。
【請求項５】
少なくとも２つのユニット（１０）がユニット群を形成するようになっていること、及び、例えば物品搬送に関連して、２つのユニット群（１０Ａ、１０Ｂ）間で少なくとも１つのドッキングベースの物品移送／紙幣移送を実行することを特徴とする請求項１から請求項４までのいずれか１項に記載の方法。
【請求項６】
前記ユニット（１０）は、例えば金銭所有者登録並びに他の作業登録プロセス及びマッピング登録等のために、共通の監視センター、現金取扱地点、命令センター等と、対話形態の通信を行うことを特徴とする請求項１から請求項５までのいずれか１項に記載の方法。
【請求項７】
紙幣及び類似の物品等の貴重品を取り扱うユニット（１０）であって、貴重品／紙幣の受け取り及び供給を行うように意図され、警報機構（１２）と破壊機構／着色機構／マーキング機構（１３）等とを含むことが好ましい、紙幣及び類似の物品等の貴重品を取り扱うユニット（１０）において、
さらなるユニットとの通信を行うためのドッキング手段（５０）を含むことを特徴とする紙幣及び類似の物品等の貴重品を取り扱うユニット。
【請求項８】
例えば紙幣等の貴重品の受け取り及び供給を行うようになっているユニット（１０）又はユニット群の使用であって、該ユニット／ユニット群は、警報手段（１２）と破壊手段／着色手段／マーキング手段（１３）とを含むことが好ましい、ユニット（１０）又はユニット群の使用において、
貴重品搬送に関連して、ドッキングベースの貴重品移送／紙幣移送に前記ユニット（１０）又はユニット群を用いることを特徴とするユニット又はユニット群の使用。
【発明の詳細な説明】
【技術分野】
【０００１】
本発明は、請求項１の前文に記載の紙幣及び同様の物品を取り扱う方法に関する。本発明は、機構（device）及び使用(use)にも関する。
【背景技術】
【０００２】
紙幣及び同様の物品は、窃盗の標的となりやすいため、このような物品の窃盗の企てを阻止する手段が必要である。紙幣に関しての１つの方法は、警報器が取り付けられた保護ケーシング内に紙幣を保管することであり、保護ケーシングは、例えば警報器のトリガが起動されるような作用を保護ケーシングが受けたときに紙幣を着色する等して紙幣を使いものにならないようにする手段を含む。
【０００３】
したがって、警報器が取り付けられているとともに好ましくは破壊機構／着色機構を含むシェル／ケーシング内に、できる限り安全に紙幣／貴重品を保管することを可能にし、このようにして、裸の又は無防備な金銭／紙幣と呼ばれ得るものの発生を最小限に抑えることが望まれる。裸の金銭の発生を最小限に抑えることで、窃盗の危険が大幅に減る。
【０００４】
本発明の１つの目的は、いわゆる裸の金銭（無防備な紙幣）の発生を最小限に抑える方法を提供することである。この目的は、添付の特許請求の範囲に記載の特徴を有する方法の効果によって達成される。
【０００５】
以下の利点は、本発明を用いて得られる多くの利点の一部である。
【０００６】
本発明は、ロジスティクス面での大きな利点と組み合わせた紙幣の保管保護を、継続的に提供する。これらの利点には、窃盗の危険が最小限に抑えられること、警送の必要性が減ること、及び金銭がカウントされて保管される貴重品貯蔵庫の必要性が減ることが含まれる。したがって、紙幣の再積み込み又は同様の移送を通常は行う必要がないので、本発明により盗難の危険が減る。金銭／紙幣は常に保護される。
【０００７】
次に、本発明の例示的な実施形態を参照すると共に添付図面も参照して、本発明をより詳細に説明する。
【発明を実施するための最良の形態】
【０００８】
図１及び図２は、保護シェル／保護ケーシング１１を備える貴重品ユニット１０を示し、保護シェル／保護ケーシング１１は警報機構（arrangement）１２と通信(communicate)し、警報機構１２はさらに破壊機構１３と通信する。保護ケーシング１１への侵入又は操作によって、ユニット１０の貴重品内容物、例えばその紙幣内容物に不正アクセスが試みられた場合、警報機構１２が破壊機構１３を起動して、ユニット１０内の紙幣の破壊又は着色が行われる。防護ユニット１０は、ユニット１０の不正操作が試みられると、例えばユニット内に保管されている紙幣等のユニットの内容物の着色及び／又は破壊が行われるように構成される。
【０００９】
ユニット１０は、貴重品／紙幣を回収及び供給する手段１５を含む。図示の実施形態の場合、回収手段／供給手段１５は、反転回転可能なドラム１６と、例えばユニット１０の外面のスロット１８を通してのユニット１０の紙幣送り込み及び紙幣送り出しを行うことを可能にするようになっているキャリアフィルム機構（arrangement）１７とを含み、キャリアフィルム２０，２１が、紙幣が預け入れられたときに、各キャリアフィルムの一部分（section）と共に紙幣がドラム１６に巻き上げられドラム１６上に保管されるように、スロット１８とドラム１６との間で紙幣を運ぶようになっている。この機構の紙幣供給モードでは、キャリアフィルム２０，２１は、ドラム１６からスロット１８に紙幣を運ぶように機能する。紙幣の送り込み及び送り出しは、ドラム１６の回転方向によってそれぞれ決定され、さらにキャリアフィルム２０、２１の移動方向によってもそれぞれ決定される。図２から分かるように、キャリアフィルム２０、２１は、それぞれ反転可能且つ回転可能な収納ドラム２２、２３に収納され、複数の偏向ローラ／案内ローラによって案内される。
【００１０】
貴重品を収容しているユニット１０は、ユニット１０の紙幣内容物／貴重品内容物の記録／登録を行うとともに、自体の操縦コマンドの制御／操作を行う電子ユニット又はプロセッサ１９も含む。電子ユニット／プロセッサ１９は、例えば現金取扱地点（cash point）、会計室、出納窓口、又は何らかの対応するステーションに関連付けられた電子ユニット／プロセッサ、及び／又は例えば自動現金支払機／自動預金支払機（ＡＴＭ機）等の電子ユニット／プロセッサ、及び／又は命令センター、制御センター、現金センター、又は同様のセキュリティ管理センターに結合され得る。これらの接続は、直接行われてもよく、又は無線通信を介して若しくは何らかの対応する適当な方式で行われてもよい。
【００１１】
図３は、それらの紙幣／貴重品が排出される固定又は可動のユニット１０ａを示す。紙幣／貴重品の排出は、位置整合が確保されると同時に各ユニット１０ａ及び１０ｂの電子ユニットが互いに通信して互いに一種の対話を実行できるように、可動ユニット１０ｂを前進させて（矢印Ｋ）、ドッキング手段５０を用いてユニット１０ｂをドッキングすることによって実行される。ハンドシェイクプロセスが受け入れられると、ドラムの回転が同期されるとともに、矢印Ａに沿って、ユニット１０ａからユニット１０ｂに紙幣がスロット１８を通じて移送される。紙幣の移送が完了すると、２つのユニットはそのドッキングモードから離され、ユニット１０ｂは、さらなる紙幣の充填又は排出のために新たな標的に向かって移動される（矢印Ｌ）。貴重品を収容しているユニット１０ａ及び１０ｂは、金銭の流れの監視及びマッピング、実質所有者の詳細の登録、及びユニットが移動する経路及びその目的地の命令を行う中央セキュリティ管理ステーション／中央命令ステーションと通信させることができることを理解されたい。
【００１２】
上述のドッキングベースの紙幣移送／貴重品移送は、貴重品ユニット群（pack：パック）を形成するために複数の貴重品ユニット１０を組み合わせる場合にも適用できることを理解されたい。
【００１３】
図４は、固定又は可動のユニット１０ａ又はユニット群１０Ａへの紙幣の充填を示す。充填は、位置整合が確保されると同時に必要な受け入れ及び協働を得るために、ユニット１０ａ、１０ｂ／ユニット群１０Ａ、１０Ｂの電子ユニットが互いに通信して一種の対話を行うことができるように、可動ユニット１０ｂ又はユニット群１０Ｂを前進させて（矢印Ｍ）、ドッキング手段５０を用いてドッキングすること、及びそれと同時に、例えば命令センター、制御センター、監視センター、現金センター、又は同様のセキュリティ管理センターとの必要な通信及び対話を行うことによって、実行される。所望の紙幣移送は、ユニット／ユニット群１０ａ／１０Ａに対して、矢印Ｂで示すようにスロット１８を通して関与するユニットのドラムの回転が同期されることによって行われる。紙幣移送が完了すると、ユニットのドッキングが切り離され、ユニット１０ｂ／ユニット群１０Ｂは、さらなる紙幣の充填又は排出のために新たな標的に向かって移動される（矢印Ｎ）。
【００１４】
関係する現金の量の登録、現金又は貴重品の所有者の登録、ロジスティクス面での決定等は、現金センター等によって実行されることが好ましい。これらの作業の少なくともいくつかを関連の貴重品ユニット１０に任せることも可能である。
【００１５】
したがって、本発明による方法は、外部領域との間の紙幣の搬送の必要性を最小限に抑えるために、例えば異なるユーザステーションにおいて様々な紙幣の流れが利用される所望の領域内で、ユニット１０又はユニット群のいわゆるドッキングを用いることを可能にする。したがって、ユニット１０は、紙幣を常に保護し、裸の無防備な紙幣の存在を最小限に抑える効果がある。したがって、紙幣が常に保護されるので、本発明は、紙幣の搬送を最小限に抑えること、及び任意の連続搬送ソリューションを極めて安全な形態で行うことを可能にする。
【００１６】
貴重品ユニット又は貴重品ユニット群は、それらの搬送を容易にするために車輪で支持され得る。
【００１７】
本発明の概念の枠組み内で多くの変形が可能であることを理解されたい。
【００１８】
ユニット１０の構造は、幅広く変わり得る。例えば、上述の紙幣ドラム１６及びその周辺機構（arrangement）は、紙幣の受け取り及び供給を行うのに適格な代替的な紙幣取り扱い機構で置き換えてもよい。
【００１９】
上述のドッキング手段５０は、ドッキングプロセスに関与するユニット又はユニット群間で得られる必要な信号通信と、必要なユニットの物理的位置合わせとの両方を行う手段を含むことが好ましいことに言及しておく。
【００２０】
一例として言及したドッキングベースでの紙幣移送／貴重品移送は、裸の金銭の発生を最小限に抑えること、またそれと同時に、搬送の必要を最小限に抑えること、及び一連の金銭取り扱いの過程全体での安全性を高めること等ができる可能性が極めて大きいことが理解されるであろう。
【００２１】
本発明による方法は、少なくとも１つのドッキング作業／移送作業を含むが、発明概念の枠組み内で任意数の連続ドッキング作業／移送作業を実行することができることを理解されたい。
【００２２】
本発明は、図示及び説明された実施形態に制限されず、添付の特許請求の範囲内で変更及び修正が可能であることも理解されたい。
【図面の簡単な説明】
【００２３】
【図１】セキュリティユニットの概略斜視図である。
【図２】セキュリティユニットの例示的な実施形態の開放側面図である。
【図３】本発明に従ったドッキングベースでの上記ユニットからの紙幣内容物の排出を概略的に示す。
【図４】本発明に従ったドッキングベースでの上記ユニットへの紙幣の充填を概略的に示す。
【図１】
2009510593.tif 000003
【図２】
2009510593.tif 000004
【図３】
2009510593.tif 000005
【図４】
2009510593.tif 000006
【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
紙幣及び類似の物品等の貴重品を取り扱う方法であって、貴重品／紙幣の受け取り及び供給を行うように意図されている少なくとも２つの貴重品ユニット（１０）が用いられ、各貴重品ユニット（１０）が、警報手段（１２）と破壊手段／着色手段／マーキング手段（１３）等とを含むことが好ましい、紙幣及び類似の物品等の貴重品を取り扱う方法において、
例えば貴重品搬送に関連して、２つの貴重品ユニット（１０）間で少なくとも１つのドッキングベースの貴重品移送／紙幣移送を実行することを特徴とする紙幣及び類似の物品等の貴重品を取り扱う方法。
【請求項２】
前記ドッキングベースの移送はスロット（１８）を介して行われることを特徴とする請求項１に記載の方法。
【請求項３】
前記ユニット（１０）の移動パターンを、命令センター、監視センター、又は貴重品センターから制御することを特徴とする請求項１又は２に記載の方法。
【請求項４】
ドッキングさせることができるユニット（１０）が、情報交換のために互いに通信し、且つハンドシェイクプロセス等を実行するようになっていることを特徴とする請求項１から請求項３までのいずれか１項に記載の方法。
【請求項５】
貴重品／紙幣の移送に関連して、ユニット（１０）間の通信を確保するためのドッキング手段（５０）を用いることを特徴とする請求項１から請求項４までのいずれか１項に記載の方法。
【請求項６】
少なくとも２つのユニット（１０）がユニット群を形成するようになっていること、及び、例えば物品搬送に関連して、２つのユニット群（１０Ａ、１０Ｂ）間で少なくとも１つのドッキングベースの物品移送／紙幣移送を実行することを特徴とする請求項１から請求項５までのいずれか１項に記載の方法。
【請求項７】
前記ユニット（１０）は、例えば金銭所有者登録並びに他の作業登録プロセス及びマッピング登録等のために、共通の監視センター、現金取扱地点、命令センター等と、対話形態の通信を行うことを特徴とする請求項１から請求項６までのいずれか１項に記載の方法。
【請求項８】
紙幣及び類似の物品等の貴重品を取り扱う貴重品ユニット（１０）であって、貴重品／紙幣の受け取り及び供給を行うように意図され、警報機構（１２）と破壊機構／着色機構／マーキング機構（１３）等とを含むことが好ましい、紙幣及び類似の物品等の貴重品を取り扱う貴重品ユニット（１０）において、
スロット（１８）を介する移送のために、さらなる貴重品ユニットとの通信を行うためのドッキング手段（５０）を含むことを特徴とする紙幣及び類似の物品等の貴重品を取り扱うユニット。
【請求項９】
例えば紙幣等の貴重品の受け取り及び供給を行うようになっているユニット（１０）又はユニット群の使用であって、該ユニット／ユニット群は、警報手段（１２）と破壊手段／着色手段／マーキング手段（１３）とを含むことが好ましい、ユニット（１０）又はユニット群の使用において、
貴重品搬送に関連して、ドッキングベースの貴重品移送／紙幣移送に前記貴重品ユニット（１０）又はユニット群を用いることを特徴とするユニット又はユニット群の使用。
【国際調査報告】
2009510593.tif 000007
2009510593.tif 000008
2009510593.tif 000009